(57)【特許請求の範囲】
【請求項１】
電動機械に設けられた複数のバッテリ接続口に接続可能に構成された複数の機械側連結部と、バッテリが接続可能に構成されたバッテリ側連結部とを備えるバッテリアダプタであって、
前記機械側連結部の数がバッテリ側連結部の数よりも多く設定されており、前記バッテリ側連結部に接続されたバッテリにより前記機械側連結部にバッテリ接続口を介して接続された前記電動機械を駆動できるように構成されており、
前記バッテリ側連結部には、前記バッテリの信号端子が接続されるバッテリ側信号端子が設けられており、
前記機械側連結部には、前記電動機械のバッテリ接続口の信号端子が接続される機械側信号端子が設けられており、
前記バッテリの信号端子と前記電動機械のバッテリ接続口の信号端子間で、前記バッテリ側連結部のバッテリ側信号端子と前記機械側連結部の機械側信号端子とを介して信号が伝送される構成であり、前記機械側信号端子の数が前記バッテリ側信号端子の数以上に設定されていることを特徴とするバッテリアダプタ。
【請求項２】
請求項１に記載されたバッテリアダプタであって、
前記電動機械のモータの定格電圧と等しい公称電圧のバッテリが前記バッテリ側連結部に接続された状態で、前記機械側連結部にバッテリ接続口を介して接続された前記電動機械が駆動されるように構成されていることを特徴とするバッテリアダプタ。
【請求項３】
請求項２に記載されたバッテリアダプタであって、
各々の前記機械側連結部に印加される電圧の総和が前記電動機械のモータの定格電圧に等しくなるように構成されていることを特徴とするバッテリアダプタ。
【請求項４】
請求項１に記載されたバッテリアダプタであって、
前記バッテリ側連結部に印加されるバッテリの電圧を降圧する降圧機器を備えており、
その降圧機器の出力電圧が前記電動機械のモータの定格電圧と等しくなるように設定されていることを特徴とするバッテリアダプタ。
【請求項５】
請求項４に記載されたバッテリアダプタであって、
前記降圧機器の出力電圧が一つの前記機械側連結部に印加される電圧と等しいことを特徴とするバッテリアダプタ。
【請求項６】
請求項４に記載されたバッテリアダプタであって、
前記降圧機器の出力電圧が複数の前記機械側連結部の異なる組のプラス端子とマイナス端子間に印加される構成であることを特徴とするバッテリアダプタ。
【請求項７】
請求項１に記載されたバッテリアダプタであって、
前記バッテリ側連結部に印加されるバッテリの電圧を昇圧する昇圧機器を備えており、その昇圧機器の出力電圧が電動機械のモータの定格電圧と等しくなるように設定されていることを特徴とするバッテリアダプタ。
【請求項８】
請求項７に記載されたバッテリアダプタであって、
前記昇圧機器の出力電圧と個々の前記機械側連結部に印加される電圧の総和とが等しくなるように設定されていることを特徴とするバッテリアダプタ。
【請求項９】
請求項７に記載されたバッテリアダプタであって、
前記昇圧機器の出力電圧が一つの前記機械側連結部に印加される電圧と等しいことを特徴とするバッテリアダプタ。
【請求項１０】
請求項７に記載されたバッテリアダプタであって、
前記昇圧機器の出力電圧が複数の前記機械側連結部の異なる組のプラス端子とマイナス端子間に印加される構成であることを特徴とするバッテリアダプタ。
【請求項１１】
請求項１から請求項１０のいずれかに記載されたバッテリアダプタであって、
前記機械側連結部は、複数の機械側信号端子を備えており、
前記機械側信号端子は、前記バッテリの放電を許可する放電許可信号を伝送できるように構成されていることを特徴とするバッテリアダプタ。
【請求項１２】
請求項１１に記載されたバッテリアダプタであって、
前記機械側連結部の機械側信号端子の少なくとも一つは、前記バッテリ側連結部に対して前記バッテリが接続された状態で、常時、放電許可信号を伝送できるように構成されていることを特徴とするバッテリアダプタ。
【請求項１３】
請求項１２に記載されたバッテリアダプタであって、
常時、放電許可信号を伝送できるように構成された機械側信号端子とは別の機械側信号端子は、前記放電許可信号、又は放電禁止信号を伝送できるように構成されていることを特徴とするバッテリアダプタ。
【請求項１４】
請求項１から請求項１０のいずれかに記載されたバッテリアダプタであって、
前記バッテリ側連結部のバッテリ側信号端子と前記機械側連結部の機械側信号端子とを介して前記バッテリの放電を許可する放電許可信号と、前記電動機械の過負荷信号とが伝送されるように構成されていることを特徴とするバッテリアダプタ。
【発明の詳細な説明】
【技術分野】
【０００１】
本発明は、電動機械に設けられた複数のバッテリ接続口に接続可能に構成された複数の機械側連結部と、バッテリが接続可能に構成されたバッテリ側連結部とを備えるバッテリアダプタに関する。
【背景技術】
【０００２】
電動工具や電動作業具（以下、電動機械という）では、一般的に、その電動機械のモータの定格電圧に対応したバッテリが使用される。例えば、定格ＤＣ３６Ｖの電動機械では、定格ＤＣ３６Ｖのバッテリを使用するのが一般的である。しかし、定格ＤＣ３６Ｖのバッテリは高価であるため、市場に流通する数が少なく、入手が難しい。これに対して定格ＤＣ１８Ｖのバッテリは汎用的で市場に流通する数が多く、入手が容易である。
この点を考慮して、定格ＤＣ１８Ｖのバッテリが二台接続可能なように構成された定格ＤＣ３６Ｖの電動工具が特許文献１（ＵＳ５０２８８５８）に記載されている。即ち、前記電動工具１００は、図１４に示すように、定格ＤＣ１８Ｖのバッテリ１０２が二台接続可能なように、バッテリ接続口１０３が二ヶ所に設けられている。そして、前記電動工具１００の内部に二台のバッテリ１０２を直列接続するための電気回路が設けられている。このため、汎用的な定格ＤＣ１８Ｖのバッテリにより、定格ＤＣ３６Ｖの電動工具を駆動できるようになる。
【先行技術文献】
【特許文献】
【０００３】
【特許文献１】ＵＳ５０２８８５８
【発明の概要】
【発明が解決しようとする課題】
【０００４】
しかし、定格ＤＣ１８Ｖ用のバッテリ接続口が二ヶ所に設けられた定格ＤＣ３６Ｖの電動工具（二口用の電動工具）では、定格ＤＣ３６Ｖのバッテリを使用することはできない。また、二口用の電動工具（定格ＤＣ３６Ｖ）では、一台の定格ＤＣ１８Ｖのバッテリで駆動させることもできない。
このため、二口用の電動工具の使い勝手が良くないという問題がある。
【０００５】
本発明は、上記問題点を解決するためになされたものであり、本発明が解決しようとする課題は、複数口用の電動機械を、その電動機械のバッテリ接続口の数より少ない数のバッテリで動作させられるようにして、複数口用の電動機械の使い勝手を向上させることである。
【課題を解決するための手段】
【０００６】
上記した課題は、各請求項の発明によって解決される。
請求項１の発明は、電動機械に設けられた複数のバッテリ接続口に接続可能に構成された複数の機械側連結部と、バッテリが接続可能に構成されたバッテリ側連結部とを備えるバッテリアダプタであって、前記機械側連結部の数がバッテリ側連結部の数よりも多く設定されており、前記バッテリ側連結部に接続されたバッテリにより前記機械側連結部にバッテリ接続口を介して接続された前記電動機械を駆動できるように構成されており、前記バッテリ側連結部には、前記バッテリの信号端子が接続されるバッテリ側信号端子が設けられており、前記機械側連結部には、前記電動機械のバッテリ接続口の信号端子が接続される機械側信号端子が設けられており、前記バッテリの信号端子と前記電動機械のバッテリ接続口の信号端子間で、前記バッテリ側連結部のバッテリ側信号端子と前記機械側連結部の機械側信号端子とを介して信号が伝送される構成であり、前記機械側信号端子の数が前記バッテリ側信号端子の数以上に設定されていることを特徴とする。
【０００７】
本発明に係るバッテリアダプタによると、機械側連結部の数がバッテリ側連結部の数よりも多く設定されている。例えば、機械側連結部の数が二個の場合には、バッテリ側連結部の数は一個となる。さらに、バッテリ側連結部に接続されたバッテリにより機械側連結部にバッテリ接続口を介して接続された電動機械を駆動できるように構成されている。
このため、本発明に係るバッテリアダプタを使用することで、例えば、二個のバッテリ接続口を備える電動機械を一個のバッテリで駆動させられるようになる。これにより、複数のバッテリ接続口を備える電動機械の使い勝手が向上する。
【０００８】
請求項２の発明によると、電動機械のモータの定格電圧と等しい公称電圧のバッテリが前記バッテリ側連結部に接続された状態で、前記機械側連結部にバッテリ接続口を介して接続された前記電動機械が駆動されるように構成されていることを特徴とする。
このため、上記バッテリアダプタを使用することで、例えば、定格ＤＣ３６Ｖの二口用の電動機械を一台の定格ＤＣ３６Ｖのバッテリで駆動させられるようになる。
【０００９】
請求項３の発明によると、各々の機械側連結部に印加される電圧の総和が電動機械のモータの定格電圧に等しくなるように構成されていることを特徴とする。
このため、上記バッテリアダプタを使用することで、例えば、ＤＣ１８Ｖ用のバッテリ接続口が二ヶ所に設けられた定格ＤＣ３６Ｖの二口用の電動機械を一台の定格ＤＣ３６Ｖのバッテリで駆動させられるようになる。
【００１０】
請求項４の発明によると、バッテリ側連結部に印加されるバッテリの電圧を降圧する降圧機器を備えており、その降圧機器の出力電圧が前記電動機械のモータの定格電圧と等しくなるように設定されていることを特徴とする。
このため、上記バッテリアダプタを使用することで、例えば、定格ＤＣ１８Ｖの二口用の電動工具を一台の定格ＤＣ３６Ｖのバッテリで駆動させられるようになる。
【００１１】
請求項５の発明によると、降圧機器の出力電圧が一つの機械側連結部に印加される電圧と等しいことを特徴とする。
請求項６の発明によると、降圧機器の出力電圧が複数の機械側連結部の異なる組のプラス端子とマイナス端子間に印加される構成であることを特徴とする。
【００１２】
請求項７の発明によると、バッテリ側連結部に印加されるバッテリの電圧を昇圧する昇圧機器を備えており、その昇圧機器の出力電圧が電動機械のモータの定格電圧と等しくなるように設定されていることを特徴とする。
このため、上記バッテリアダプタを使用することで、例えば、定格ＤＣ３６Ｖの二口用の電動工具を一台の定格ＤＣ１８Ｖのバッテリで駆動させられるようになる。
【００１３】
請求項８の発明によると、昇圧機器の出力電圧と個々の機械側連結部に印加される電圧の総和とが等しくなるように設定されていることを特徴とする。
請求項９の発明によると、昇圧機器の出力電圧が一つの機械側連結部に印加される電圧と等しいことを特徴とする。
請求項１０の発明によると、昇圧機器の出力電圧が複数の機械側連結部の異なる組のプラス端子とマイナス端子間に印加される構成であることを特徴とする。
請求項１１の発明によると、機械側連結部は、複数の機械側信号端子を備えており、
前記機械側信号端子は、前記バッテリの放電を許可する放電許可信号を伝送できるように構成されていることを特徴とする。
請求項１２の発明によると、機械側連結部の機械側信号端子の少なくとも一つは、バッテリ側連結部に対してバッテリが接続された状態で、常時、放電許可信号を伝送できるように構成されていることを特徴とする。
請求項１３の発明によると、常時、放電許可信号を伝送できるように構成された機械側信号端子とは別の機械側信号端子は、放電許可信号、又は放電禁止信号を伝送できるように構成されていることを特徴とする。
請求項１４の発明によると、バッテリ側連結部のバッテリ側信号端子と機械側連結部の機械側信号端子とを介して前記バッテリの放電を許可する放電許可信号と、電動機械の過負荷信号とが伝送されるように構成されていることを特徴とする。
【発明の効果】
【００１４】
本発明によると、複数口用の電動機械を、その電動機械のバッテリ接続口の数より少ない数のバッテリで動作させられるようになるため、複数口用の電動機械の使い勝手が向上する。
【図面の簡単な説明】
【００１５】
【図１】本発明の実施形態１に係るバッテリアダプタを備えるブロア（電動機械）の全体斜視図である。
【図２】前記電動機械を上方から見た分解斜視図である。
【図３】前記電動機械を下方から見た分解斜視図である。
【図４】前記電動機械の構成を表す模式図である。
【図５】前記電動機械の模式電気回路図である。
【図６】本発明の実施形態２に係るバッテリアダプタを備える電動機械の構成を表す模式図である。
【図７】前記電動機械の模式電気回路図である。
【図８】前記電動機械の模式電気回路図である。
【図９】本発明の実施形態３に係るバッテリアダプタを備える電動機械の構成を表す模式図である。
【図１０】前記電動機械の模式電気回路図である。
【図１１】変更例に係る電動機械の構成を表す模式図である。
【図１２】前記電動機械の模式電気回路図である。
【図１３】前記電動機械の模式電気回路図である。
【図１４】従来の二口用の電動工具の側面図、及び正面図である。
【発明を実施するための形態】
【００１６】
［実施形態１］
以下、図１から図５に基づいて本発明の実施形態１に係るバッテリアダプタについて説明する。本実施形態に係るバッテリアダプタは、電動機械（ブロア）に使用されるバッテリアダプタである。
なお、図に記載された前後左右及び上下は、ブロアの前後左右及び上下に対応している。
＜ブロア１０の概要について＞
ブロア１０は、ゴミや埃等を吹き飛ばすための作業用機械であり、図１〜図３に示すように、ブロア本体１２と、バッテリアダプタ２０と、バッテリパック３０（以下、バッテリ３０という）とから構成されている。
ここで、バッテリアダプタ２０について説明する前に、ブロア本体１２の構成について簡単に説明する。
【００１７】
＜ブロア本体１２について＞
ブロア本体１２は、中央下面に設けられた空気吸引口１２１からファン（図示省略）の回転により吸引された空気を先端（前端）のノズル１２３から放出できるように構成されている。ブロア本体１２の中央部には空気吸引口１２１の上側にファン及びモータ１２ｍ等の収納部１２４が設けられており、その収納部１２４の上側からブロア本体１２の後端位置まで前後にグリップ部１２５が渡されている。そして、グリップ部１２５の先端上側位置にブロア本体１２のメインスイッチ１２ｓが設けられている。また、グリップ部１２５の基端部の位置、即ち、ブロア本体１２の後端位置には、バッテリ連結部１２７が設けられている。
バッテリ連結部１２７は、後記するバッテリアダプタ２０、あるいは二台のＤＣ１８Ｖのバッテリ（図示省略）が連結される部分である。バッテリ連結部１２７は、図３に示すように、そのバッテリ連結部１２７の下面側にバッテリアダプタ２０、あるいは二台のＤＣ１８Ｖのバッテリ（図示省略）がスライド接続可能に構成された二セットのバッテリ接続口１２７ｃ，１２７ｄを備えている。
【００１８】
ブロア本体１２は、図４、図５に示すように、定格ＤＣ３６Ｖのモータ１２ｍにより駆動されるように構成されている。ブロア本体１２のプラス電源ライン１２ｐは、図５に示すように、一端が第１バッテリ接続口１２７ｃのプラス端子Ｐ１に接続されており、他端がモータ１２ｍのプラス端子ｐに接続されている。そして、プラス電源ライン１２ｐの途中位置にヒューズ１２ｆとメインスイッチ１２ｓとが直列に接続されている。また、ブロア本体１２のマイナス電源ライン１２ｎは、一端が第２バッテリ接続口１２７ｄのマイナス端子Ｎ２に接続されており、他端がモータ１２ｍのマイナス端子ｎに接続されている。そして、マイナス電源ライン１２ｎの途中位置に、モータ１２ｍに対する電力供給量を調節するスッチング素子ＦＥＴと、モータ１２ｍの負荷電流を検出するシャント抵抗１２ｒが直列に接続されている。
【００１９】
さらに、図５に示すように、第１バッテリ接続口１２７ｃのマイナス端子N１と、第２バッテリ接続口１２７ｄのプラス端子Ｐ２とはジャンパ線１２ｊにより電気的に接続されている。このため、仮に、第１バッテリ接続口１２７ｃと第２バッテリ接続口１２７ｄとにそれぞれＤＣ１８Ｖのバッテリ（図示省略）が接続されると、各々のバッテリが直列接続されてモータ１２ｍにはＤＣ３６Ｖの電圧が印加されるようになる。
また、ブロア本体１２の収納部１２４には、コントローラＭＣＵ（図５参照）が収納されている。コントローラＭＣＵは、スッチング素子ＦＥＴを動作させてモータ１２ｍの駆動制御を行えるように構成されている（ＩＯ３端子参照）。ここで、コントローラＭＣＵは、第１バッテリ接続口１２７ｃ、及び第２バッテリ接続口１２７ｄのＡＳ端子を介して放電許可信号が入力された段階で（ＩＯ１、ＩＯ２端子参照）、モータ１２ｍを駆動制御する。また、コントローラＭＣＵには、モータ１２ｍの負荷電流が入力されるようになっており（Ｉ４端子参照）、過負荷時にモータ１２ｍを停止し、ＡＳ端子を介して過負荷信号をバッテリ側に出力できるように構成されている。さらに、コントローラＭＣＵは、ブロア本体１２の表示回路１２ｗに表示信号を出力できるように構成されている。
【００２０】
＜バッテリアダプタ２０について＞
バッテリアダプタ２０は、一台の定格ＤＣ３６Ｖのバッテリ３０で第１バッテリ接続口１２７ｃ、第２バッテリ接続口１２７ｄを備える定格ＤＣ３６Ｖのブロア本体１２を駆動できるようにするためのアダプタである。
バッテリアダプタ２０は、図２、図３に示すように、浅い箱状のハウジング２２を備えており、そのハウジング２２の上面側にブロア本体１２の第１バッテリ接続口１２７ｃ、第２バッテリ接続口１２７ｄにそれぞれスライド接続される第１機械側連結部２２ｃ、第２機械側連結部２２ｄが設けられている。また、前記ハウジング２２の下面側に定格ＤＣ３６Ｖのバッテリ３０の接続部３３がスライド接続されるバッテリ側連結部２３が設けられている。
【００２１】
第１機械側連結部２２ｃには、図５に示すように、ブロア本体１２の第１バッテリ接続口１２７ｃのプラス端子Ｐ１、マイナス端子Ｎ１、及びＡＳ１端子がそれぞれ接続されるプラス端子Ｐ１、マイナス端子Ｎ１、及びＡＳ１端子が設けられている。また、第２機械側連結部２２ｄには、ブロア本体１２の第２バッテリ接続口１２７ｄのプラス端子Ｐ２、マイナス端子Ｎ２、及びＡＳ２端子がそれぞれ接続されるプラス端子Ｐ２、マイナス端子Ｎ２、及びＡＳ２端子が設けられている。
さらに、バッテリ側連結部２３には、バッテリ３０の接続部３３に設けられたプラス端子Ｐ、マイナス端子Ｎ、及びＡＳ端子がそれぞれ接続されるプラス端子Ｐ、マイナス端子Ｎ、及びＡＳ端子が設けられている。そして、バッテリ側連結部２３のプラス端子Ｐが第１機械側連結部２２ｃのプラス端子Ｐ１に接続されており、バッテリ側連結部２３のマイナス端子Ｎが第２機械側連結部２２ｄのマイナス端子Ｎ２に接続されている。また、バッテリ側連結部２３のＡＳ端子が第２機械側連結部２２ｄのＡＳ２端子に接続されている。したがって、バッテリ３０のコントローラＢＭＵからの過放電等の信号（放電禁止信号）は、第２機械側連結部２２ｄのＡＳ２端子を介してブロア本体１２のコントローラＭＣＵのＩＯ２端子に入力されるようになる。また、ブロア本体１２のコントローラＭＣＵからのメインスイッチ１２ｓの操作信号も、第２機械側連結部２２ｄのＡＳ２端子を介してバッテリ３０のコントローラＢＭＵに伝送される。
即ち、バッテリ３０の接続部３３に設けられたＡＳ端子が本発明におけるバッテリの信号端子に相当し、バッテリ側連結部２３のＡＳ端子が本発明におけるバッテリ側信号端子に相当する。また、ブロア本体１２の第１バッテリ接続口１２７ｃのＡＳ１端子と第２バッテリ接続口１２７ｄのＡＳ２端子とが本発明における電動機械のバッテリ接続口の信号端子に相当し、第１機械側連結部２２ｃのＡＳ１端子と第２機械側連結部２２ｄのＡＳ２端子とが本発明における機械側信号端子に相当する。
【００２２】
バッテリアダプタ２０のハウジング２２内には、常時、放電許可信号を出力できるように構成された放電許可出力回路２４が設けられており、その出力信号が第１機械側連結部２２ｃのＡＳ１端子を介してブロア本体１２のコントローラＭＣＵのＩＯ１端子に入力される。このため、ブロア本体１２のコントローラＭＣＵは、ＩＯ２端子に入力される過放電等の信号（放電禁止信号）、あるいは放電許可信号に基づいてモータ１２ｍを駆動制御する。
また、バッテリアダプタ２０のハウジング２２内には、第１機械側連結部２２ｃのプラス端子Ｐ１、マイナス端子Ｎ１間、及び第２機械側連結部２２ｄのプラス端子Ｐ２、マイナス端子Ｎ２間にそれぞれ等しい電圧が印加されるように構成された定電圧回路２５が設けられている。
【００２３】
＜バッテリアダプタ２０の動作について＞
次に、バッテリアダプタ２０の動作について説明する。
先ず、バッテリアダプタ２０のバッテリ側連結部２３にバッテリ３０をスライド接続し、図１に示すように、そのバッテリアダプタ２０の第１機械側連結部２２ｃ、第２機械側連結部２２ｄをブロア本体１２の第１バッテリ接続口１２７ｃ、第２バッテリ接続口１２７ｄにスライド接続する。これにより、図５に示すように、バッテリ３０のプラス端子Ｐがバッテリアダプタ２０の第１機械側連結部２２ｃのプラス端子Ｐ１を介してブロア本体１２の第１バッテリ接続口１２７ｃのプラス端子Ｐ１に接続される。また、バッテリ３０のマイナス端子Ｎがバッテリアダプタ２０の第２機械側連結部２２ｄのマイナス端子Ｎ２を介してブロア本体１２の第２バッテリ接続口１２７ｄのマイナス端子Ｎ２に接続される。さらに、バッテリ３０のＡＳ端子がバッテリアダプタ２０の第２機械側連結部２２ｄのＡＳ２端子を介してブロア本体１２の第２バッテリ接続口１２７ｄのＡＳ２端子に接続される。
これにより、ブロア本体１２の第１バッテリ接続口１２７ｃのプラス端子Ｐ１、マイナス端子Ｎ１間、及び第２バッテリ接続口１２７ｄのプラス端子Ｐ２、マイナス端子Ｎ２間にそれぞれＤＣ１８Ｖが印加される。即ち、ブロア本体１２のモータ１２ｍには、第１バッテリ接続口１２７ｃの電圧（ＤＣ１８Ｖ）と第２バッテリ接続口１２７ｄの電圧（ＤＣ１８Ｖ）とが直列に加わるようになる。これにより、一台の定格ＤＣ３６Ｖのバッテリ３０で第１バッテリ接続口１２７ｃ、第２バッテリ接続口１２７ｄを備える定格ＤＣ３６Ｖのブロア本体１２を駆動できるようになる。
【００２４】
＜本実施形態に係るバッテリアダプタ２０の長所について＞
本実施形態に係るバッテリアダプタ２０によると、二個のバッテリ接続口１２７ｃ，１２７ｄを備えるブロア本体１２（電動機械）を一個のバッテリ３０で動作させられるようになる。これにより、複数（二個）のバッテリ接続口１２７ｃ，１２７ｄを備えるブロア本体１２の使い勝手が向上する。
また、バッテリアダプタ２０の各々の機械側連結部２２ｃ，２２ｄに印加される電圧（ＤＣ１８Ｖ）の総和がブロア本体１２（電動機械）のモータ１２ｍの定格電圧（ＤＣ３６Ｖ）に等しくなるように構成されている。このため、上記バッテリアダプタ２０を使用することで、ＤＣ１８Ｖ用のバッテリ接続口１２７ｃ，１２７ｄが二ヶ所に設けられた定格ＤＣ３６Ｖの二口用のブロア本体１２（電動機械）を一台の定格ＤＣ３６Ｖのバッテリで駆動させられるようになる。
【００２５】
［実施形態２］
以下、図６から図８に基づいて本発明の実施形態２に係るバッテリアダプタ４０について説明する。
本実施形態に係るバッテリアダプタ４０は、図６に示すように、一台の定格ＤＣ３６Ｖのバッテリ３０で第１バッテリ接続口１２７ｃ、第２バッテリ接続口１２７ｄを備える定格ＤＣ１８Ｖの電動機械１２を駆動できるようにするためのアダプタである。本実施形態に係るバッテリアダプタ４０は、基本構成は実施形態１に係るバッテリアダプタ２０と同様である。このため、実施形態１に係るバッテリアダプタ２０等と同一の部材については同一符号を付して説明を省略する。
本実施形態において使用される電動機械１２は、図７に示すように、第１バッテリ接続口１２７ｃと第２バッテリ接続口１２７ｄとにＤＣ１８Ｖのバッテリ（図示省略）がそれぞれ並列接続可能に構成されている。即ち、前記電動機械１２では、第１バッテリ接続口１２７ｃのプラス端子Ｐ１、マイナス端子Ｎ１と、第２バッテリ接続口１２７ｄのプラス端子Ｐ２、マイナス端子Ｎ２とが並列に接続されている。このため、モータ１２ｍには、第１バッテリ接続口１２７ｃと第２バッテリ接続口１２７ｄとに加わる電圧（ＤＣ１８Ｖ）と等しい電圧が印加されるようになる。
【００２６】
バッテリアダプタ４０は、実施形態１に係るバッテリアダプタ２０と同様に第１機械連結部２２ｃと第２機械連結部２２ｄとを備えている。しかし、図７に示すように、バッテリアダプタ４０の第１機械連結部２２ｃは、プラス端子、マイナス端子を備えておらず、電動機械１２の第１バッテリ接続口１２７ｃと機械的な連結のみが可能な構成である。即ち、バッテリアダプタ４０の第２機械連結部２２ｄのみが電動機械１２の第２バッテリ接続口１２７ｄと電気的に接続されるようになる。
バッテリアダプタ４０には、バッテリ側連結部２３のプラス端子Ｐ、マイナス端子Ｎとに加えられた電圧（ＤＣ３６Ｖ）を降圧する降圧機器４３が設けられている。降圧機器４３は、ＤＣ３６ＶをＤＣ１８Ｖに降圧する機器であり、その出力電圧（ＤＣ１８Ｖ）が第２機械連結部２２ｄのプラス端子Ｐ２とマイナス端子Ｎ２に加わるように構成されている。これにより、電動機械１２の第２バッテリ接続口１２７ｄにはＤＣ１８Ｖが加わるようになる。
【００２７】
また、バッテリアダプタ４０には、ＡＳ出力回路４５が設けられている。ＡＳ出力回路４５は、電動機械１２のコントローラＭＣＵからのメインスイッチ１２ｓの操作信号、あるいはバッテリ３０のコントローラＢＭＵからの過放電等の信号を受けて降圧機器４３の入力電源を遮断できるように構成されている。
このように、上記バッテリアダプタ４０により、一台の定格ＤＣ３６Ｖのバッテリ３０で第１バッテリ接続口１２７ｃ、第２バッテリ接続口１２７ｄを備える定格ＤＣ１８Ｖの電動機械１２を駆動できるようになる。このように、定格ＤＣ１８Ｖの電動機械１２の駆動に定格ＤＣ３６Ｖのバッテリ３０を使用できるため、電動機械１２を長時間動作させられるようになる。
【００２８】
＜変更例＞
ここで、本発明は上記実施形態に限定されるものではなく、本発明の要旨を逸脱しない範囲における変更が可能である。例えば、本実施形態では、図７に示すように、バッテリアダプタ４０の第１機械連結部２２ｃを電気的に使用せずに、第２機械連結部２２ｄのみを使用する例を示した。しかし、図８に示すように、第１機械連結部２２ｃのプラス端子Ｐ１と第２機械連結部２２ｄのマイナス端子Ｎ２にＤＣ１８Ｖが加わるようにし、電動機械１２の第１バッテリ接続口１２７ｃのプラス端子Ｐ１と第２バッテリ接続口１２７ｄのマイナス端子Ｎ２を介してモータ１２ｍにＤＣ１８Ｖ電圧を加える構成でも可能である。
【００２９】
［実施形態３］
以下、図９から図１３に基づいて本発明の実施形態３に係るバッテリアダプタ５０について説明する。
本実施形態に係るバッテリアダプタ５０は、図９に示すように、一台の定格ＤＣ１８Ｖのバッテリ６０で第１バッテリ接続口１２７ｃ、第２バッテリ接続口１２７ｄを備える定格ＤＣ３６Ｖの電動機械１２を駆動できるようにするためのアダプタである。本実施形態に係るバッテリアダプタ５０は、基本構成は実施形態１に係るバッテリアダプタ２０と同様である。このため、実施形態１に係るバッテリアダプタ２０等と同一の部材については同一符号を付して説明を省略する。
また、本実施形態において使用される電動機械１２は、実施形態１において説明した電動機械１２と同一であるため、同一符号を付して説明を省略する。
【００３０】
バッテリアダプタ５０には、図１０に示すように、バッテリ側連結部２３のプラス端子Ｐ、マイナス端子Ｎに加えられた電圧（ＤＣ１８Ｖ）を昇圧する昇圧機器５３が設けられている。昇圧機器５３は、ＤＣ１８ＶをＤＣ３６Ｖに昇圧する機器であり、その出力電圧（ＤＣ３６Ｖ）が第１機械連結部２２ｃのプラス端子Ｐ１と第２機械連結部２２ｄのマイナス端子Ｎ２に加わるように構成されている。さらに、昇圧機器５３の出力側には、第１機械側連結部２２ｃのプラス端子Ｐ１、マイナス端子Ｎ１間、及び第２機械側連結部２２ｄのプラス端子Ｐ２、マイナス端子Ｎ２間にそれぞれ等しい電圧（ＤＣ１８Ｖ）が印加されるように構成された定電圧回路２５が設けられている。
これにより、電動機械１２の第１バッテリ接続口１２７ｃと第２バッテリ接続口１２７ｄとには、バッテリアダプタ５０の第１機械側連結部２２ｃと第２機械側連結部２２ｄとを介してＤＣ１８Ｖがそれぞれ加わるようになる。即ち、電動機械１２のモータ１２ｍには、第１バッテリ接続口１２７ｃの電圧（ＤＣ１８Ｖ）と第２バッテリ接続口１２７ｄの電圧（ＤＣ１８Ｖ）とが直列接続されることにより電圧ＤＣ３６Ｖが加わるようになる。
したがって、一台の定格ＤＣ１８Ｖのバッテリ６０で応急的に第１バッテリ接続口１２７ｃ、第２バッテリ接続口１２７ｄを備える定格ＤＣ３６Ｖの電動機械１２を駆動できるようになる。
【００３１】
＜変更例＞
ここで、本発明は上記実施形態に限定されるものではなく、本発明の要旨を逸脱しない範囲における変更が可能である。例えば、本実施形態では、図１０に示すように、電動機械１２の第１バッテリ接続口１２７ｃと第２バッテリ接続口１２７ｄとを直列接続することで、モータ１２ｍにＤＣ３６Ｖの電圧が加わるようにした。
しかし、図１１、図１２に示すように、定電圧回路２５を省略してバッテリアダプタ５０の第２機械側連結部２２ｄ（Ｐ２、Ｎ２間）にＤＣ３６Ｖの電圧が加わるようにすることも可能である。これにより、図１２に示すように、第１バッテリ接続口１２７ｃと第２バッテリ接続口１２７ｄとにＤＣ３６Ｖのバッテリがそれぞれ並列接続可能に構成された電動機械１２に対して前記バッテリアダプタ５０を使用することが可能になる。
また、図１３に示すように、定電圧回路２５を省略し、バッテリアダプタ５０の第１機械側連結部２２ｃのプラス端子Ｐ１と第２機械側連結部２２ｄのマイナス端子Ｎ２間にＤＣ３６Ｖの電圧が加わるようにすることも可能である。これにより、図１３に示すように、第１バッテリ接続口１２７ｃと第２バッテリ接続口１２７ｄとにＤＣ３６Ｖのバッテリがそれぞれ並列接続可能に構成された電動機械１２に対して前記バッテリアダプタ５０を使用することも可能になる。
また、実施形態１〜３では、機械側連結部２２ｃ，２２ｄを二個、バッテリ側連結部２３を一個備えるバッテリアダプタ２０，４０，５０を例示した。しかし、機械側連結部の数がバッテリ側連結部の数よりも多くなる条件下で、機械側連結部、及びバッテリ側連結部の個数を適宜変更することも可能である。
また、実施形態１〜３では、電動機械１２としてブロア１０を例示したが、ブロア１０のみならず、バッテリ式チェンソー、ヘッヂトリマ等や、ドリル、ドライバ等の電動工具に本発明を適用することも可能である。
【符号の説明】
【００３２】
１２・・・・ブロア本体（電動機械）
１２ｍ・・・モータ
１２７ｃ・・第１バッテリ接続口
１２７ｄ・・第２バッテリ接続口
２０・・・・バッテリアダプタ
２２ｃ・・・第１機械側連結部
２２ｄ・・・第２機械側連結部
２３・・・・バッテリ側連結部
３０・・・・バッテリ
４０・・・・バッテリアダプタ
４３・・・・降圧機器
５０・・・・バッテリアダプタ
５３・・・・昇圧機器
【図１】
0005758276.tif 000002
【図２】
0005758276.tif 000003
【図３】
0005758276.tif 000004
【図４】
0005758276.tif 000005
【図５】
0005758276.tif 000006
【図６】
0005758276.tif 000007
【図７】
0005758276.tif 000008
【図８】
0005758276.tif 000009
【図９】
0005758276.tif 000010
【図１０】
0005758276.tif 000011
【図１１】
0005758276.tif 000012
【図１２】
0005758276.tif 000013
【図１３】
0005758276.tif 000014
【図１４】
0005758276.tif 000015